(57)【要約】      （修正有）【課題】営業対象として優先順位が高い医療施設を把握できるシステムを提供する。【解決手段】情報処理システムにおいて、サーバ２のプロセッサ２６は、医療施設を識別する医療施設識別情報と、設定期間内において当該医療施設に納入された同一薬効の各薬剤の納入数量とが関連付けられて記憶されているストレージ２３と、ストレージ２３を参照して、医療施設毎の同一薬効の各薬剤の納入数量を用いて、医療施設の座標と薬剤の座標を決定する座標決定部２６５と、決定された医療施設の座標と薬剤の座標を用いて、医療施設と薬剤の位置関係を示す情報を出力する出力部２６９と、を備える。【選択図】図３
2020154905.tif 000002
【特許請求の範囲】
【請求項１】
医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージと、
前記ストレージを参照して、医療施設毎の同一薬効の各薬剤の納入数量もしくは納入金額もしくは処方回数もしくは処方数量を用いて、医療施設の座標と薬剤の座標を決定する座標決定部と、
前記決定された医療施設の座標と薬剤の座標を用いて、医療施設と薬剤の位置関係を示す情報を出力する出力部と、
を備える情報処理システム。
【請求項２】
前記決定された医療施設の座標を用いて、医療施設をグループに分類する分類部を更に備え、
前記出力部は、医療施設と前記グループとの対応関係を示す情報を出力する
請求項１に記載の情報処理システム。
【請求項３】
前記分類された医療施設の座標が、グループの境界線の内側に位置するように当該グループの境界線を決定する境界線決定部を更に備え、
前記出力部は、前記決定されたグループの境界線を表示するための情報を出力する
請求項２に記載の情報処理システム。
【請求項４】
前記座標決定部は、前記医療施設の座標と薬剤の座標を決定する際に、医療施設毎の設定期間内における同一薬効の各薬剤の納入数量をコレスポンデンス分析に適用することにより決定し、
前記コレスポンデンス分析における第１主成分に対応する寄与率と第２主成分に対応する寄与率を加算した累積寄与率を決定し、当該累積寄与率が閾値以上か否か判定する累積寄与率決定部を更に備え、
前記出力部は、前記決定された累積寄与率が閾値以上の場合、２次元座標上に医療施設と薬剤とを表示するための情報を出力する
請求項１から３のいずれか一項に記載の情報処理システム。
【請求項５】
前記ストレージには、前記医療施設識別情報に関連付けられて当該医療施設の規模を表す規模情報が関連付けられて記憶されており、
前記２次元座標上においてユーザによって選択された医療施設を識別する医療施設識別情報を受信するよう通信回路を制御する通信制御部を更に備え、
前記出力部は、前記受信された医療施設識別情報に前記ストレージにおいて関連付けられた規模情報が設定基準以上である場合、同一薬効の各薬剤の納入数量に関する情報を表示するための情報を出力する
請求項１から４のいずれか一項に記載の情報処理システム。
【請求項６】
前記規模情報は、病床数であり、
前記設定基準は、設定数であり、
前記出力部は、前記受信された医療施設識別情報に前記ストレージにおいて関連付けられた病床数が設定数以上である場合、同一薬効の各薬剤の納入数量に関する情報を表示するための情報を出力する
請求項５に記載の情報処理システム。
【請求項７】
前記医療施設と薬剤の位置関係を示す情報は、２次元座標上に医療施設と薬剤とを表示するための情報である
請求項１から６のいずれか一項に記載の情報処理システム。
【請求項８】
医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージと、
前記ストレージを参照して、医療施設毎の同一薬効の各薬剤の納入数量もしくは納入金額もしくは処方回数もしくは処方数量を用いて、医療施設の座標と薬剤の座標を決定する座標決定部と、
前記決定された医療施設の座標と薬剤の座標を用いて、医療施設と薬剤の位置関係を示す情報を出力する出力部と、
を備える情報処理装置。
【請求項９】
座標決定部が、医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージを参照して、医療施設毎の同一薬効の各薬剤の納入数量もしくは納入金額もしくは処方回数もしくは処方数量を用いて、医療施設の座標と薬剤の座標を決定するステップと、
出力部が、前記決定された医療施設の座標と薬剤の座標を用いて、医療施設と薬剤の位置関係を示す情報を出力するステップと、
を有する情報処理方法。
【請求項１０】
コンピュータを、
医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージを参照して、医療施設毎の同一薬効の各薬剤の納入数量もしくは納入金額もしくは処方回数もしくは処方数量を用いて、医療施設の座標と薬剤の座標を決定する座標決定部と、
前記決定された医療施設の座標と薬剤の座標を用いて、医療施設と薬剤の位置関係を示す情報を出力する出力部と、
として機能させるためのプログラム。
【発明の詳細な説明】
【技術分野】
【０００１】
本発明は、情報処理システム、情報処理装置、情報処理方法及びプログラムに関する。
【背景技術】
【０００２】
医薬品の営業活動は、製薬会社のＭＲ（medical representative：医薬情報担当者）によって行われている。従来、このような医薬品の営業活動を支援するシステムが開発されている。例えば、特許文献１には、営業活動の成果に応じて、例えば医薬品の種別や医師・病院の種別、更にはアプローチの形態等からなる活動内容と、当該営業活動を通じて取得した、例えば医師の人柄とアプローチに対する反応等からなる知識とを営業事例として記憶する事例データベースと、新規に開拓しようとする営業内容または現在進行中の営業活動内容、特に営業アプローチの段階に応じて事例データベースを検索して、その内容に類似する営業事例を選択的に提示するデータベース検索手段とを備える営業活動支援システムが開示されている。
【先行技術文献】
【特許文献】
【０００３】
【特許文献１】特開２００３−１５７３５４号公報
【発明の概要】
【発明が解決しようとする課題】
【０００４】
医薬品の営業活動では、薬剤の納入実績データを用い、対象のエリアでの当該薬剤の市場の大きさを示す「ポテンシャル」及び「自社シェア」のマトリクスを活用することができる。しかしながら、当該薬剤の市場の大きさを示す「ポテンシャル」に対する「自社シェア」を踏まえて、営業のターゲットとなる医療施設のカテゴリを選定したとしても、実際にどの医療施設に対して優先的に営業すれば良いのかという知見を得ることは難しいという問題がある。
【０００５】
本発明は、上記問題に鑑みてなされたものであり、営業対象として優先順位が高い医療施設を把握することを可能とする情報処理システム、情報処理装置、情報処理方法及びプログラムを提供することを目的とする。
【課題を解決するための手段】
【０００６】
本発明の第１の態様に係る情報処理システムは、医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージと、前記ストレージを参照して、医療施設毎の同一薬効の各薬剤の納入数量もしくは納入金額もしくは処方回数もしくは処方数量を用いて、医療施設の座標と薬剤の座標を決定する座標決定部と、前記決定された医療施設の座標と薬剤の座標を用いて、医療施設と薬剤の位置関係を示す情報を出力する出力部と、を備える。
【０００７】
この構成によれば、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【０００８】
本発明の第２の態様に係る情報処理システムは、第１の態様に係る情報処理システムであって、前記決定された医療施設の座標を用いて、医療施設をグループに分類する分類部を更に備え、前記出力部は、医療施設と前記グループとの対応関係を示す情報を出力する。
【０００９】
この構成によれば、医療施設を薬剤納入傾向の似たグループに分けることができ、薬剤納入傾向の似た医療施設リストが得られるので、グループ毎に優先順位をつけて営業を行うことができ、営業を効率化することができる。
【００１０】
本発明の第３の態様に係る情報処理システムは、第２の態様に係る情報処理システムであって、前記分類された医療施設の座標が、グループの境界線の内側に位置するように当該グループの境界線を決定する境界線決定部を更に備え、前記出力部は、前記決定されたグループの境界線を表示するための情報を出力する。
【００１１】
この構成によれば、同じ薬効の薬のうち薬剤の納入する傾向が類似する医療施設のグループを可視化することができるので、ユーザは、営業対象として優先度が高い医療施設のグループを把握することができる。
【００１２】
本発明の第４の態様に係る情報処理システムは、第１から３のいずれかの態様に係る情報処理システムであって、前記座標決定部は、前記医療施設の座標と薬剤の座標を決定する際に、医療施設毎の設定期間内における同一薬効の各薬剤の納入数量をコレスポンデンス分析に適用することにより決定し、前記コレスポンデンス分析における第１主成分に対応する寄与率と第２主成分に対応する寄与率を加算した累積寄与率を決定し、当該累積寄与率が閾値以上か否か判定する累積寄与率決定部を更に備え、前記出力部は、前記決定された累積寄与率が閾値以上の場合、２次元座標上に医療施設と薬剤とを表示するための情報を出力する。
【００１３】
この構成によれば、医療施設と薬剤の納入数量との関係を閾値以上の水準で表していることが確認できるので、２次元座標上の医療施設と薬剤の位置関係で、対象の医療施設に対象の薬剤が納入されている傾向を一定の正確さで担保することができる。
【００１４】
本発明の第５の態様に係る情報処理システムは、第１から４のいずれかの態様に係る情報処理システムであって、前記ストレージには、前記医療施設識別情報に関連付けられて当該医療施設の規模を表す規模情報が関連付けられて記憶されており、前記２次元座標上においてユーザによって選択された医療施設を識別する医療施設識別情報を受信するよう通信回路を制御する通信制御部を更に備え、前記出力部は、前記受信された医療施設識別情報に前記ストレージにおいて関連付けられた規模情報が設定基準以上である場合、同一薬効の各薬剤の納入数量に関する情報を表示するための情報を出力する。
【００１５】
この構成によれば、医療施設の規模が設定基準以上の医療施設のみ同一薬効の各薬剤の納入数量に関する情報が表示されるので、個々の医師の納入割合は秘匿化した上で、ユーザは、医療施設の規模が設定基準以上の医療施設のみ同一薬効の各薬剤の納入割合を把握することができる。
【００１６】
本発明の第６の態様に係る情報処理システムは、第５の態様に係る情報処理システムであって、前記規模情報は、病床数であり、前記設定基準は、設定数であり、前記出力部は、前記受信された医療施設識別情報に前記ストレージにおいて関連付けられた病床数が設定数以上である場合、同一薬効の各薬剤の納入数量に関する情報を表示するための情報を出力する。
【００１７】
この構成によれば、病床数が設定数以上の医療施設のみ同一薬効の各薬剤の納入数量に関する情報が表示されるので、個々の医師の納入割合は秘匿化した上で、ユーザは、医療施設の規模が設定基準以上の医療施設のみ同一薬効の各薬剤の納入割合を把握することができる。
【００１８】
本発明の第７の態様に係る情報処理システムは、第１から６のいずれかの態様に係る情報処理システムであって、前記医療施設と薬剤の位置関係を示す情報は、２次元座標上に医療施設と薬剤とを表示するための情報である。
【００１９】
この構成によれば、２次元空間で対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。
【００２０】
本発明の第８の態様に係る情報処理装置は、医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージと、前記ストレージを参照して、医療施設毎の同一薬効の各薬剤の納入数量もしくは納入金額もしくは処方回数もしくは処方数量を用いて、医療施設の座標と薬剤の座標を決定する座標決定部と、前記決定された医療施設の座標と薬剤の座標を用いて、医療施設と薬剤の位置関係を示す情報を出力する出力部と、を備える。
【００２１】
この構成によれば、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【００２２】
本発明の第９の態様に係る情報処理方法は、座標決定部が、医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージを参照して、医療施設毎の同一薬効の各薬剤の納入数量もしくは納入金額もしくは処方回数もしくは処方数量を用いて、医療施設の座標と薬剤の座標を決定するステップと出力部が、前記決定された医療施設の座標と薬剤の座標を用いて、医療施設と薬剤の位置関係を示す情報を出力するステップと、を有する。
【００２３】
この構成によれば、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【００２４】
本発明の第１０の態様に係るプログラムは、コンピュータを、医療施設を識別する医療施設識別情報と、設定期間内において当該医療施設に納入された同一薬効の各薬剤の納入数量もしくは納入金額もしくは処方回数もしくは処方数量とが関連付けられて記憶されているストレージを参照して、医療施設毎の同一薬効の各薬剤の納入数量もしくは納入金額もしくは処方回数もしくは処方数量を用いて、医療施設の座標と薬剤の座標を決定する座標決定部と、前記決定された医療施設の座標と薬剤の座標を用いて、医療施設と薬剤の位置関係を示す情報を出力する出力部と、として機能させるためのプログラムである。
【００２５】
この構成によれば、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【発明の効果】
【００２６】
本発明の一態様によれば、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【図面の簡単な説明】
【００２７】
【図１】本実施形態に係る情報処理システムの概略構成図である。
【図２】本実施形態に係るユーザ端末の概略構成図である。
【図３】本実施形態に係るサーバの概略構成図である。
【図４】実施形態に係るサーバのストレージに記憶されているマスタテーブルの一例である。
【図５】本実施形態に係るサーバのストレージに記憶されている納入数量テーブルの一例である。
【図６】ユーザ端末に表示される入力画面のイメージの一例である。
【図７】図６の入力画面の続きの画面のイメージの一例である。
【図８】設定期間内において各医療施設に納入された同一薬効の各薬剤の納入数量の一例を示す分割表である。
【図９】行単位の比率に変化する処理を説明するための図である。
【図１０】行単位の比率を行カテゴリの標準化比率に変換する処理を説明するための図である。
【図１１】仮想典型比率を用いて列カテゴリの標準化比率に変換する処理を説明するための図である。
【図１２】４次元空間の行カテゴリと列カテゴリを射影するイメージ図である。
【図１３】累積寄与率で解の次元数の十分さをチェックする処理を説明するための図である。
【図１４】図８の分割表から算出された各医療施設と各薬剤の２次元座標について、その対応関係を説明するための図である。
【図１５】医療施設のグループ分け（クラスタリング）について説明するための散布図とクラスター分析用データについて説明するための図である。
【図１６】グループ分けされた結果の一例を示す図である。
【図１７】医療施設３がＨＰの場合に、医療施設３に納入される同一薬効の各薬剤の納入比率が表示される例を示す図である。
【図１８】ユーザ端末とサーバの処理の例を示すフローチャートである。
【図１９】図１８の続きの処理の例を示すフローチャートである。
【発明を実施するための形態】
【００２８】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２９】
本実施形態では、上記の課題に加えて、病床の数が設定数（ここでは一例として１００）未満の医療施設については、個々の医師の納入割合が推測されるという理由から、その医療施設における各薬剤の納入数量の割合を開示できず、その医療施設における各薬剤の納入数量の実態を把握することができなかった。ここでは、薬剤の納入数量は一例として、医療施設から発行された処方箋が提出された先として関連付けられた薬局に、医薬品の卸売企業から販売された医薬品の納入数量である。そのため、病床の数が設定数（ここでは一例として１００）未満の医療施設に対して、製薬会社のＭＲが、その医療施設における自社シェアを把握することができず、営業によって自社シェアが伸びる余地があるのかを判断すること自体ができないという問題があった。
【００３０】
その問題に対し、本実施形態では、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【００３１】
図１は、本実施形態に係る情報処理システムの概略構成図である。図１に示すように、情報処理システムＳは、ユーザ端末１−１〜１−Ｎと通信回路網ＣＮを介して接続されたサーバ２と、サーバ２と通信回路網ＣＮを介して接続された管理者端末３とを備える。サーバ２と管理者端末３は、本実施形態に係る情報処理システムＳを管理する管理団体によって使用されるものである。情報処理システムＳは、ユーザ端末１−１、…、１−Ｎ（Ｎは自然数）を備えてもよいし、備えなくてもよいが、本実施形態では、情報処理システムＳは、ユーザ端末１−１、…、１−Ｎを備えていないものとして説明する。
【００３２】
ユーザ端末１−１〜１−Ｎは、医薬品の営業担当である別々のユーザが使用する端末装置であり、例えば、多機能携帯電話（いわゆるスマートフォン）などの携帯電話、タブレット、ノートパソコン、またはデスクトップパソコンなどである。本実施形態では、ユーザ端末１−１〜１−Ｎには、例えばＷＥＢブラウザを介して、サーバ２から送信された情報が表示されるものとして以下説明する。
【００３３】
サーバ２は情報処理装置の一例であり、ユーザ端末１−１〜１−Ｎに対して情報を提供する。管理者端末３は、本実施形態に係る情報処理システムＳを管理する管理者が使用する端末装置である。管理者端末３は、サーバ２と同じ場所にあっても異なる場所にあってもよいが、ここでは、サーバ２とは異なる場所にあるものとして説明する。以下、ユーザ端末１−１〜１−Ｎを総称してユーザ端末１とも呼ぶ。
【００３４】
図２は、本実施形態に係るユーザ端末の概略構成図である。図２に示すように、ユーザ端末１は例えば、入力インタフェース１１と、通信回路１２と、ストレージ１３と、メモリ１４と、出力インタフェース１５と、プロセッサ１６とを備える。
入力インタフェース１１は、ユーザからの入力を受け付け、受け付けた入力に応じた入力信号をプロセッサ１６へ出力する。
通信回路１２は、通信回路網ＣＮに接続されて、通信回路網ＣＮに接続されているサーバ２と通信する。この通信は有線であっても無線であってもよいが、無線であるものとして説明する。
【００３５】
ストレージ１３には、プロセッサ１６が読み出して実行するためのプログラム及び各種のデータが格納されている。
メモリ１４は、データ及びプログラムを一時的に保持する。メモリ１４は、揮発性メモリであり、例えばＲＡＭ（Random Access Memory）である。
出力インタフェース１５は、ディスプレイ１７に接続されており、プロセッサ１６の指令に従って映像信号をディスプレイ１７に出力する。
プロセッサ１６は、ストレージ１３から本実施形態に係るプログラムをメモリ１４にロードし、当該プログラムに含まれる一連の命令を実行する。
ディスプレイ１７は、プロセッサ１６の指令に従って情報を表示する。なおディスプレイ１７はユーザ端末１に外付けで接続されているだけではなく、ユーザ端末１に内蔵であってもよい。
【００３６】
図３は、本実施形態に係るサーバの概略構成図である。図３に示すように、サーバ２は、入力インタフェース２１と、通信回路２２と、ストレージ２３と、メモリ２４と、出力インタフェース２５と、プロセッサ２６とを備える。
入力インタフェース２１は、サーバ２の管理者（例えば、管理団体の従業員）からの入力を受け付け、受け付けた入力に応じた入力信号をプロセッサ２６へ出力する。
通信回路２２は、通信回路網ＣＮに接続されて、通信回路網ＣＮに接続されているユーザ端末１−１〜１−Ｎと通信する。この通信は有線であっても無線であってもよいが、有線であるものとして説明する。
【００３７】
ストレージ２３は、プロセッサ２６が読み出して実行するためのプログラム及び各種のデータが格納されている。
メモリ２４は、データ及びプログラムを一時的に保持する。メモリ２４は、揮発性メモリであり、例えばＲＡＭ（Random Access Memory）である。
出力インタフェース２５は、外部の装置と接続可能であり、当該外部の装置へ信号を出力可能である。
【００３８】
プロセッサ２６は、ストレージ２３からプログラムをメモリ２４にロードし、当該プログラムに含まれる一連の命令を実行することによって、薬剤抽出部２６１、医療施設抽出部２６２、集計部２６３、医療施設選択部２６４、座標決定部２６５、累積寄与率決定部２６６、分類部２６７、境界線決定部２６８、出力部２６９、通信制御部２７０として機能する。それぞれの処理については後述する。
【００３９】
図４は、本実施形態に係るサーバのストレージに記憶されているマスタテーブルの一例である。図４に示すように、本実施形態に係るサーバ２のストレージ２３に記憶されている医療施設マスタテーブルＭ１には、医療施設を識別する医療施設識別情報である医療施設ＩＤ、当該医療施設の医療施設名、当該医療施設の病床数、当該医療施設の所在地の都道府県、当該医療施設の所在地の市区郡の組のレコードが蓄積されている。
【００４０】
また図４に示すように、本実施形態に係るサーバ２のストレージ２３に記憶されている薬剤マスタテーブルＭ２には、薬剤を識別する薬剤識別情報である薬剤識別ＩＤ、当該薬剤の薬剤名、当該薬剤の薬効の組のレコードが蓄積されている。
【００４１】
図５は、本実施形態に係るサーバのストレージに記憶されている納入数量テーブルの一例である。図５に示すように、本実施形態に係るサーバ２のストレージ２３に記憶されている納入数量テーブルＴ１には一例として、医療施設ＩＤ、薬剤ＩＤ、当該薬剤ＩＤで特定される薬剤の薬効、当該医療施設ＩＤで特定される医療施設における当該薬剤ＩＤで特定される薬剤の２０１８年１月の納入数量、２０１８年２月の納入数量、…、２０１９年３月の納入数量が格納されている。ここでは一例として１ヶ月毎の納入数量について記載しているが、これに限らず、その期間は予め任意に決めることができ、予め決められた設定期間であればよい。
【００４２】
薬剤によっては、複数の薬効がある場合があるので、本実施形態に係る納入数量テーブルでは一例として、同じ薬剤であっても薬効毎に分けて納入数量が格納されている。なお、同じ薬剤であっても薬効毎に分けて納入数量が格納されているとしたが、これに限らず、薬効毎に分けずに薬剤の納入数量が格納されていてもよい。
【００４３】
図６は、ユーザ端末に表示される入力画面のイメージの一例である。図６に示すように、入力画面Ｇ１において、ユーザによって対象となる期間を指定するための期間指定用のセレクトボックス、ユーザによって対象となる医療施設の都道府県を指定するための都道府県指定用のラジオボタン、ユーザによって対象となる医療施設の市区郡を指定するための市区郡指定用のチェックボックス、薬効を指定するためのセレクトボックス、医療施設表示数を指定するためのラジオボタン、医療施設区分を指定するためのラジオボタン、抽出条件を登録するための「抽出条件を登録」ボタン、解析結果を表示するための「表示」ボタン、医療施設をグループ分けして表示する際のグループ数を選択するためのラジオボタンが示されている。ここでＨＰは１００床以上の医療施設を表し、ＧＰは１００床未満の医療施設を表す。
【００４４】
図７は、図６の入力画面の続きの画面のイメージの一例である。図７は、「表示」ボタンが押されて、解析結果が表示された画面Ｇ２のイメージである。図６の入力画面において、薬効が指定されると、図７に示すように、薬効内品目指定用のセレクトボックスが表示される。ここでは一例として、ユーザによって、Ｃ〜Ｆ薬剤が選択されている。図７では、解析結果として、医療施設と薬剤の位置関係が２次元座標において表示されている。図７では一例として、グループ数が５つ指定されているので、グループを示す楕円状の線が５つ示されている。
【００４５】
図７の画面Ｇ２において、「ＣＳＶダウンロード」ボタンが表示されている。この「ＣＳＶダウンロード」ボタンが押されると、グループ毎に、当該グループに含まれる医療施設と当該グループに関連付けられる薬剤とが対応付けられて格納されたＣＳＶファイルがサーバ２からユーザ端末１に送信されて、ユーザはこのＣＳＶファイルをユーザ端末１にダウンロードすることができる。
【００４６】
なお、図７に示すように抽出条件を登録するための「抽出条件を登録」ボタンが押された場合には、ユーザ端末１は、ユーザによって指定された抽出条件をサーバ２へ送信し、サーバ２は、この抽出条件を受信してプロセッサ２６はこの抽出条件をストレージ３に保存する。
【００４７】
続いて図８〜１２を用いて、本実施形態に係るサーバ２の座標決定部２６５におけるコレスポンデンス分析の処理について説明する。図８は、設定期間内において各医療施設に納入された同一薬効の各薬剤の納入数量の一例を示す分割表である。この分割表は、納入数量テーブルＴ１から、設定期間内において対象の薬効を示す各薬剤の各医療施設に納入された納入数量を抽出したものである。よって、ストレージ２３には、医療施設を識別する医療施設識別情報と、設定期間内において当該医療施設に納入された同一薬効の各薬剤の納入数量とが関連付けられて記憶されている。
【００４８】
図９は、行単位の比率に変化する処理を説明するための図である。行Ｒ１に示す値が、
行Ｒ３のように行単位の比率に変換されている。このように、座標決定部２６５は分割表の各行を「行単位の比率」に変換する。具体的には座標決定部２６５は分割表の各行の頻度を、行の和で除す。例えば医療施設１の行は［４，６，０，０］、行の和は４＋６＋０＋０＝１０であるので、医療施設１の行単位の比率は、［０．４，０．６，０．０，０．０］となる。同様に、座標決定部２６５は対象となる全施設を変換する。
【００４９】
図９において、計の欄Ｒ４における０．３５は、分割表最下行Ｒ２の［１９，１５，９，１１］を総計５４（＝１９＋１５＋９＋１１）で除した全体比率である。このように座標決定部２６５は、分割表最下行Ｒ２の値［１９，１５，９，１１］それぞれを、総計５４で除す。
【００５０】
図１０は、行単位の比率を行カテゴリの標準化比率に変換する処理を説明するための図である。標準化比率＝（行単位の比率−全体比率）／√全体比率である。図１０に示すように、医療施設２の薬剤Ｂの標準化比率（欄Ｒ７の値）は、医療施設２の薬剤Ｂの行単位の比率（欄Ｒ５の０．０９）と、薬剤Ｂの全体比率（欄Ｒ６の０．２８）を用いて、−０．３６（＝（０．０９−０．２８）／√０．２８）と算出される。このように、座標決定部２６５は、対象の医療施設の対象の薬剤の行単位の比率と、当該対象の薬剤の全体比率を用いて、当該対象の医療施設の当該対象の薬剤の標準化比率を算出する。この処理が座標決定部２６５によって全ての医療施設と薬剤の組に対して行われることによって、標準化比率の表が得られる。
【００５１】
図１１は、仮想典型比率を用いて列カテゴリの標準化比率に変換する処理を説明するための図である。図１１において、仮想典型比率の表が示されている。行Ｒ８に示すように、薬剤Ｂの仮想典型比率［０，１，０，０］の場合、座標決定部２６５は、この薬剤Ｂの仮想典型比率［０，１，０，０］と、各薬剤の全体比率（行Ｒ９の値）を用いて、薬剤Ｂの標準化比率（行Ｒ１０の各値）［−０．５９，１．３７，−０．４１，−０．４５］（＝［（０−０．３５）／√０．３５，（１−０．２８）／√０．２８，（０−０．１７）／√０．１７，（０−０．２０）／√０．２０］）を算出する。同様に、座標決定部２６５は、他の薬剤の標準化比率を算出する。
【００５２】
図１２は、４次元空間の行カテゴリと列カテゴリを射影するイメージ図である。座標決定部２６５は、図１０で算出された医療施設１の標準化比率［０．０８，０．６１，−０．４１，−０．４５］を２次元空間に射影する。同様に、座標決定部２６５は、他の医療施設の標準化比率を２次元空間に射影する。この射影方法はコレスポンデンス分析に用いる公知の方法を用いることができる。
また座標決定部２６５は、図１１で算出された薬剤Ｂの標準化比率［−０．５９，１．３７，−０．４１，−０．４５］を２次元空間に射影する。同様に、座標決定部２６５は他の薬剤の標準化比率を２次元空間に射影する。この射影方法はコレスポンデンス分析に用いる公知の方法を用いることができる。
【００５３】
このように、座標決定部２６５は、ストレージ２３を参照して、医療施設毎の同一薬効の各薬剤の納入数量を用いて、医療施設の座標と薬剤の座標を決定する。具体的には、座標決定部２６５は、この医療施設の座標と薬剤の座標を決定する際に、医療施設毎の設定期間内における同一薬効の各薬剤の納入数量をコレスポンデンス分析に適用することにより決定する。
【００５４】
出力部２６９は、この決定された医療施設の座標と薬剤の座標を用いて、医療施設と薬剤の位置関係を示す情報（ここでは一例として、２次元座標上に医療施設と薬剤とを表示するための情報）を出力する。これにより、通信制御部２７０がこの情報をユーザ端末１に送信するよう制御し、この情報を受信したユーザ端末１がこの情報をディスプレイ１７に表示させることによって、図１２に示すように、医療施設の座標と薬剤の座標がユーザ端末１に接続されたディスプレイ１７に表示される。
【００５５】
この構成により、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【００５６】
図１３は、累積寄与率で解の次元数の十分さをチェックする処理を説明するための図である。図１３に示すように、各次元に対応する固有値を、固有値の合計０．７１（＝０．５２＋０．１７＋０．０２）で除すことによって、各次元の寄与率が算出されている。ここでは、寄与率の第２次元までの累積寄与率９７％（欄Ｒ１１の値）により、分割表の情報を９７％表し尽くしていることが確認できる。このことに鑑みて、本実施形態では一例として累積寄与率決定部２６６は、コレスポンデンス分析における第１主成分に対応する寄与率と第２主成分に対応する寄与率を加算した累積寄与率を決定し、当該累積寄与率が閾値以上か否か判定する。この場合、出力部２６９は例えば、当該決定された累積寄与率が閾値以上の場合、２次元座標上に医療施設と薬剤とを表示するための情報を出力する。これにより、医療施設と薬剤の納入数量との関係を閾値以上の水準で表していることが確認できるので、２次元座標上の医療施設と薬剤の位置関係で、対象の医療施設に対象の薬剤が納入されている傾向を一定の正確さで担保することができる。
【００５７】
図１４は、図８の分割表から算出された各医療施設と各薬剤の２次元座標について、その対応関係を説明するための図である。図１４に示すように、行Ｒ１２において、医療施設１は、ある設定期間において薬剤Ａの４つの納入数量、薬剤Ｂの６つの納入数量があるが、図８の分割表から算出された各医療施設と各薬剤の２次元座標を２次元空間に配置した場合、薬剤Ａの４つの納入数量が矢印Ａ１に現れており、薬剤Ｂの６つの納入数量が矢印Ａ２に現れている。また、行Ｒ１３において、医療施設４は、ある設定期間において薬剤Ａの２つの納入数量、薬剤Ｂの２つの納入数量、薬剤Ｄの２つの納入数量があるが、図８の分割表から算出された各医療施設と各薬剤の２次元座標を２次元空間に配置した場合、薬剤Ａの２つの納入数量が矢印Ａ３に現れており、薬剤Ｂの２つの納入数量が矢印Ａ４に現れており、薬剤Ｄの４つの納入数量が矢印Ａ５に現れている。
【００５８】
このように対象の医療施設について着目すると、対象の薬剤について対象の医療施設への納入比率（例えば医療施設１への薬剤Ｂの納入比率６／１０）が他の薬剤の納入比率（例えば医療施設１への薬剤Ａの納入比率４／１０）より高いほど、２次元座標上において、当該対象の薬剤は他の薬剤より２次元空間において対象の医療施設の近くに配置される。
また、対象の薬剤について着目すると、対象の薬剤の対象の医療施設への納入比率（例えば薬剤Ｂの医療施設１への納入比率６／１５）が他の医療施設の納入比率（例えば薬剤Ｂの医療施設４への納入比率２／１５）より高いほど、２次元座標上において、当該対象の医療施設は他の医療施設より２次元空間において対象の薬剤の近くに配置される。
【００５９】
＜医療施設のグループ分け（クラスタリング）＞
続いて、医療施設のグループ分け（クラスタリング）について、図１５及び図１６を用いて説明する。図１５は、医療施設のグループ分け（クラスタリング）について説明するための散布図とクラスター分析用データについて説明するための図である。
薬剤Ｅ、Ｆ、Ｇ、Ｈに対する医療施設１、２、３、４のデータが、散布図の通りの場合、分類部２６７はクラスター分析用データ（医療施設の２次元座標データ）をウォード法によるクラスタリングを行う。これにより、２次元空間上の薬剤納入傾向の似たグループに分けることが可能である。このデータを例えばＣＳＶファイルとしてダウンロードすることで、薬剤納入傾向の似た医療施設リストが得られるので、これを営業リストとして活用できる。
【００６０】
具体的なクラスタリングの処理例について図１５の例を用いて説明する。以下、医療施設を単に施設と呼ぶこともあるものとして説明する。例えば、各クラスターの偏差平方和を用い、４つの医療施設から２つを選んで１つのクラスターにする場合は、４Ｃ２＝６通りとなる（施設１と施設２、施設１と施設３、施設１と施設４、施設２と施設３、施設２と施設４、施設３と施設４）。この組み合わせのそれぞれで偏差平方和を計算し、最小のものを採用する。
第１次元の施設１、２の平均は３＝（（４＋２）／２）であり、第２次元の施設１、２の平均は１３／２（＝（６＋７）／２）である。クラスター内の偏差平方和は、施設１の平方和＝（４−３）２＋（６−１２／２）２＝５／４、施設２の平方和＝（２−３）（７−１３／２）＝５／５、施設１と２のクラスター内偏差平方和２．５（＝５／４＋５／４）である。
他のクラスターの施設３、施設４の偏差平方和はどちらも０につき、３つのクラスター｛（施設１と施設２）、施設３、施設４｝の偏差平方和は、２．５＋０＋０＝２．５・・・（１）と計算できる。
【００６１】
同様に、施設１と施設３、施設１と施設５、施設２と施設３、施設２と施設４、施設３と施設４をクラスターにした場合の偏差平方和をそれぞれ計算する。
｛（施設１と施設３）、施設２、施設４｝の偏差平方和＝１０・・・（２）
｛（施設１と施設４）、施設２、施設３｝の偏差平方和＝１２．５・・・（３）
｛（施設２と施設３）、施設１、施設４｝の偏差平方和＝２２．５・・・（４）
｛（施設２と施設４）、施設１、施設３｝の偏差平方和＝２０・・・（５）
｛（施設３と施設４）、施設１、施設２｝の偏差平方和＝２２．５・・・（６）
ウォード法では、偏差平方和が最小になるものをクラスター化するため、最小となる施設１と施設２を１つのクラスターにするため、３つのクラスター｛（施設１と施設２）、施設３、施設４）｝となる。
【００６２】
この３つのクラスターに対し、上記と同様、｛可能な組み合わせとなる｛（施設１と施設２と施設３）、施設４｝、｛（施設１と施設２と施設４）、施設３｝、｛（施設１と施設２）、（施設１と施設３）｝の３通りを計算する。これらの計算の結果、施設１、施設２、施設３、施設４を図１６のようなグループに分けることができる。
【００６３】
図１６は、グループ分けされた結果の一例を示す図である。医療施設１及び２は、２次元空間において薬剤Ｈと薬剤Ｆの距離が近いので、医療施設１及び２を含むグループ（クラスター）１では、薬剤Ｈと薬剤Ｆの納入数量が多いことが分かる。また、図１６の２次元空間において、医療施設１及び２を含むグループ（クラスター）１について、そのグループ１の医療施設１及び２が円ＢＬ−１で囲まれていることによって、グループ１が視覚的に明らかであり、この円ＢＬ−１に含まれる薬剤Ｈと薬剤Ｆがこのグループ１の医療施設に納入数量が多いことが分かる。
【００６４】
一方、医療施設３及び４は、２次元空間において薬剤Ｅと薬剤Ｇの距離が近いので、医療施設３及び４を含むグループ（クラスター）２では、薬剤Ｅと薬剤Ｇの納入数量が多いことが分かる。また、図１６の２次元空間において、医療施設３及び４を含むグループ（クラスター）２について、そのグループ２の医療施設３及び４が円ＢＬ−２で囲まれていることによって、グループ２が視覚的に明らかであり、この円ＢＬ−２に含まれる薬剤Ｅと薬剤Ｇがこのグループ２の医療施設に納入数量が多いことが分かる。
【００６５】
このように、分類部２６７は、決定された医療施設の座標を用いて、医療施設をグループに分類する。出力部２６９は、医療施設とグループとの対応関係を示す情報を出力する。これにより、医療施設を薬剤納入傾向の似たグループに分けることができ、薬剤納入傾向の似た医療施設リストが得られるので、グループ毎に優先順位をつけて営業を行うことができ、営業を効率化することができる。
【００６６】
また境界線決定部２６８は、分類された医療施設の座標が、グループの境界線の内側に位置するように当該グループの境界線を決定する。例えば、境界線決定部２６８は、同じグループの医療施設の座標の重心を中心として、この重心より最も距離が離れた同じグループの医療施設の座標が境界線となる円の内側になるように当該円の半径を決定することによって、当該グループの境界線を決定する。そして、出力部２６９は、当該決定されたグループの境界線を表示するための情報を出力する。
【００６７】
これにより、通信制御部２７０は、この情報をユーザ端末１に送信するよう制御し、この情報をユーザ端末１が受信した場合、プロセッサ１６はこの情報をディスプレイ１７に表示するよう制御する。これにより、同じ薬効の薬のうち薬剤の納入する傾向が類似する医療施設のグループを可視化することができるので、ユーザは、営業対象として優先度が高い医療施設のグループを把握することができる。
【００６８】
また、図１６の場合、ＣＳＶファイルとしてダウンロードされるファイルには例えば、図１６の表の情報が含まれる。すなわち、グループ１には、医療施設１及び２が含まれ、薬剤Ｆと薬剤Ｈが含まれることによって、グループ１のグループの医療施設では、薬剤Ｆと薬剤Ｈが納入される割合が高いことが分かる。グループ２には、医療施設３及び４が含まれ、薬剤Ｅと薬剤Ｇが含まれることによって、グループ２のグループの医療施設では、薬剤Ｅと薬剤Ｇが納入される割合が高いことが分かる。このように出力部２６９は、境界線の内側に含まれる医療施設と薬剤とを同じグループに対応付けた情報を出力してもよい。
【００６９】
この構成により、ユーザは、各グループについて、同じ薬効の薬のうちどの薬剤の納入する傾向が高いのかを把握することができるので、ユーザは、営業対象として優先度が高い医療施設のグループを把握することができる。
【００７０】
なお、図７の表示画面において、図１６の表が図１６の散布図の近くに表示されてもよい。
【００７１】
図１７は、医療施設３がＨＰの場合に、医療施設３に納入される同一薬効の各薬剤の納入比率が表示される例を示す図である。図１７に示すように、ディスプレイ１７に表示された「医療施設３」が選択された場合、ポップアップで、医療施設３に納入される同一薬効の各薬剤の納入比率を表す円グラフＣＧが表示される。
【００７２】
ストレージ２３には、医療施設識別情報に関連付けられて当該医療施設の規模を表す規模情報（ここでは一例として病床数）が関連付けられて記憶されている。
通信制御部２７０は、前記２次元座標上においてユーザによって選択された医療施設を識別する医療施設識別情報を受信するよう通信回路２２を制御する。
出力部２６９は、前記受信された医療施設識別情報に前記ストレージにおいて関連付けられた規模情報が設定基準（ここでは一例として設定数）以上である場合、同一薬効の各薬剤の納入数量に関する情報（ここでは一例として各薬剤の納入割合）を表示するための情報を出力する。
【００７３】
この構成により、医療施設の規模が設定基準以上の医療施設のみ同一薬効の各薬剤の納入数量に関する情報が表示されるので、個々の医師の納入割合は秘匿化した上で、ユーザは、医療施設の規模が設定基準以上の医療施設のみ同一薬効の各薬剤の納入割合を把握することができる。
【００７４】
具体的には例えば、出力部２６９は、前記受信された医療施設識別情報に前記ストレージにおいて関連付けられた病床数が設定数以上である場合、同一薬効の各薬剤の納入数量に関する情報（ここでは一例として各薬剤の納入割合）を表示するための情報を出力する。
【００７５】
この構成により、病床数が設定数以上の医療施設のみ同一薬効の各薬剤の納入数量に関する情報が表示されるので、個々の医師の納入割合は秘匿化した上で、ユーザは、医療施設の規模が設定基準以上の医療施設のみ同一薬効の各薬剤の納入割合を把握することができる。
【００７６】
図１８及び図１９を用いてユーザ端末１とサーバ２の処理を説明する。図１８は、ユーザ端末とサーバの処理の例を示すフローチャートである。図１９は、図１８の続きの処理の例を示すフローチャートである。
【００７７】
（ステップＳ１００）まずユーザ端末１のプロセッサ１６は、期間、都道府県、市区郡、薬効を受け付ける。
【００７８】
（ステップＳ１０５）次にユーザ端末１のプロセッサ１６は、受け付けた薬効をサーバ２へ送信するよう制御する。
【００７９】
（ステップＳ２００）サーバ２の薬剤抽出部２６１は、受信した薬効に関連付けられた薬剤名それぞれをストレージ２３から抽出する。
【００８０】
（ステップＳ２０５）サーバ２の薬剤抽出部２６１は、抽出された薬剤名を含む情報を生成する。
【００８１】
（ステップＳ２１０）次にサーバ２の通信制御部２７０は、抽出された薬剤名を含む情報をユーザ端末１へ送信するよう制御する。
【００８２】
（ステップＳ１１０）ユーザ端末１のプロセッサ１６は、ステップＳ２１０でサーバ２から送信された情報を受信した場合、この受信した情報を表示する。
【００８３】
（ステップＳ１１５）ユーザ端末１のプロセッサ１６は薬剤、医療施設表示数、医療施設区分、グループ数を受け付ける。
【００８４】
（ステップＳ１２０）次にユーザ端末１のプロセッサ１６は、表示ボタンが押されたか否か判定する。
【００８５】
（ステップＳ１２５）ステップＳ１２０で表示ボタンが押されたことが検出された場合、ユーザ端末１のプロセッサ１６は、期間、都道府県、市区郡、薬効、薬剤、医療施設表示数、医療施設区分、グループ数をサーバ２へ送信するよう制御する。
【００８６】
（ステップＳ２１５）次にサーバ２の医療施設抽出部２６２は、ユーザ端末１からステップＳ１２５で送信された情報を受信した場合、この指定された都道府県及び市区郡で、指定された医療施設区分に該当する医療施設ＩＤを抽出する。
【００８７】
（ステップＳ２２０）次にサーバ２の集計部２６３は、指定された期間における指定された薬効の各薬剤の納入数量を、抽出された医療施設毎に集計する。
【００８８】
（ステップＳ２２５）次にサーバ２の医療施設選択部２６４は、医療機関毎に納入された薬剤の個数の合計を算出し、薬剤の合計個数が多いものから順に、医療施設表示数分の医療施設を選択する。
【００８９】
（ステップＳ２３０）次にサーバ２の座標決定部２６５は、コレスポンデンス分析を実行して、ステップＳ２２５で選択された医療施設の座標と薬剤の座標を決定する。
【００９０】
（ステップＳ２３５）次にサーバ２の累積寄与率決定部２６６は、第２次元までの累積寄与率を決定する。
【００９１】
（ステップＳ２４０）次にサーバ２の累積寄与率決定部２６６は、累積寄与率が閾値以上か否か判定する。
【００９２】
（ステップＳ２４５）ステップＳ２４０で累積寄与率が閾値未満の場合、処理が中止される。
【００９３】
（ステップＳ２５０）ステップＳ２４０で累積寄与率が閾値以上の場合、サーバ２の分類部２６７は、医療施設を指定されたグループ数のグループに分類する。
【００９４】
（ステップＳ２５１）次にサーバ２の境界線決定部２６８は、グループの境界線を決定する。
【００９５】
（ステップＳ２５５）次にサーバ２の出力部２６９は、表示するための情報を生成する。ここで、生成された情報には、病床の数が設定数（ここでは一例として１００）以上の医療施設は、図１７で示すようにポップアップで同一薬効の各薬剤の納入割合を表示するためのリンクが含まれている。
【００９６】
（ステップＳ２６０）次にサーバ２の通信制御部２７０は、表示するための情報をユーザ端末１へ送信するよう制御する。
【００９７】
（ステップＳ１３０）次にユーザ端末１のプロセッサ１６はステップＳ２６０で送信さされた情報を受信した場合、この受信した情報をディスプレイ１７に表示するよう制御する。
【００９８】
（ステップＳ１３５）次にユーザ端末１のプロセッサ１６は、リンク付きの医療施設が選択されたか否か判定する。
【００９９】
（ステップＳ１４０）ステップＳ１３５でリンク付きの医療施設が選択された場合、ユーザ端末１のプロセッサ１６は、医療施設ＩＤをサーバ２へ送信するよう制御する。
【０１００】
（ステップＳ２６５）次にサーバ２の出力部２６９は、医療施設ＩＤをユーザ端末１から受信した場合、指定された期間における指定された薬効内の各薬剤の選択された医療施設における納入個数を読み出す。
【０１０１】
（ステップＳ２７０）次にサーバ２の出力部２６９は、各薬剤の納入数量に関する情報を表示するための情報を生成する。
【０１０２】
（ステップＳ２７５）次にサーバ２の通信制御部２７０は、ステップＳ２７０で生成された、各薬剤の納入数量に関する情報を表示するための情報を送信するよう制御する。
【０１０３】
（ステップＳ１４５）次にユーザ端末１のプロセッサ１６はステップＳ２６０で送信さされた情報を受信した場合、この受信した情報をディスプレイ１７に表示するよう制御する。
【０１０４】
以上、本実施形態に係る情報処理システムＳは、医療施設を識別する医療施設識別情報と、設定期間内において当該医療施設に納入された同一薬効の各薬剤の納入数量とが関連付けられて記憶されているストレージ２３と、ストレージ２３を参照して、医療施設毎の同一薬効の各薬剤の納入数量を用いて、医療施設の座標と薬剤の座標を決定する座標決定部２６５と、当該決定された医療施設の座標と薬剤の座標を用いて、医療施設と薬剤の位置関係を示す情報を出力する出力部２６９と、を備える。
【０１０５】
この構成により、対象の医療施設が同一薬効の薬剤のうちどの薬剤を納入している傾向があるのかを可視化することにより、製薬会社のＭＲは、他社の薬剤が納入されている傾向がある医療施設を、営業によって自社シェアが伸びる余地がある可能性がある医療施設と判断することができる。このため、製薬会社のＭＲは、他社の薬剤が納入されている傾向がある医療施設を、営業の優先順位が高い医療施設として把握することができる。
【０１０６】
本実施形態では、ストレージ２３では、医療施設を識別する医療施設識別情報と、設定期間内において当該医療施設に納入された同一薬効の各薬剤の納入数量とが関連付けられて記憶されているとして説明したが、これに限らず、各薬剤の納入数量ではなく、各薬剤の納入金額であってもよいし、各薬剤について処方医が患者に処方箋を渡した数（処方回数という）であってもよいし、医師が患者に渡した処方箋に記載された各薬剤の数量（処方数量という）であってもよい。その場合、座標決定部２６５は、ストレージ２３を参照して、医療施設毎の同一薬効の各薬剤の納入金額もしくは処方回数もしくは処方数量を用いて、医療施設の座標と薬剤の座標を決定してもよい。
【０１０７】
なお、上述した実施形態で説明したサーバ２の少なくとも一部は、ハードウェアで構成してもよいし、ソフトウェアで構成してもよい。ハードウェアで構成する場合には、サーバ２の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０８】
また、サーバ２の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０９】
さらに、一つまたは複数の情報処理装置によってサーバ２を機能させてもよい。複数の情報処理装置を用いる場合、情報処理装置のうちの１つをコンピュータとし、当該コンピュータが所定のプログラムを実行することによりサーバ２の少なくとも１つの手段として機能が実現されてもよい。
【０１１０】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【０１１１】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０１１２】
１、１−１〜１−Ｎ  ユーザ端末
１１  入力インタフェース
１２  通信回路
１３  ストレージ
１４  メモリ
１５  出力インタフェース
１６  プロセッサ
１７  ディスプレイ
２  サーバ
２１  入力インタフェース
２２  通信回路
２３  ストレージ
２４  メモリ
２５  出力インタフェース
２６  プロセッサ
２６１  薬剤抽出部
２６２  医療施設抽出部
２６３  集計部
２６４  医療施設選択部
２６５  座標決定部
２６６  累積寄与率決定部
２６７  分類部
２６８  境界線決定部
２６９  出力部
２７０  通信制御部
３  管理者端末
ＣＮ  通信回路網
Ｓ  情報処理システム
【図１】
2020154905.tif 000003
【図２】
2020154905.tif 000004
【図３】
2020154905.tif 000005
【図４】
2020154905.tif 000006
【図５】
2020154905.tif 000007
【図６】
2020154905.tif 000008
【図７】
2020154905.tif 000009
【図８】
2020154905.tif 000010
【図９】
2020154905.tif 000011
【図１０】
2020154905.tif 000012
【図１１】
2020154905.tif 000013
【図１２】
2020154905.tif 000014
【図１３】
2020154905.tif 000015
【図１４】
2020154905.tif 000016
【図１５】
2020154905.tif 000017
【図１６】
2020154905.tif 000018
【図１７】
2020154905.tif 000019
【図１８】
2020154905.tif 000020
【図１９】
2020154905.tif 000021
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
医療施設を識別する医療施設識別情報と、設定期間内において当該医療施設に納入された各薬剤の納入数量もしくは納入金額もしくは処方回数もしくは処方数量とが関連付けられて記憶され、薬剤と薬効が関連付けられて記憶されているストレージと、
前記ストレージを参照して、ユーザによって指定された薬効に関連付けられた薬剤を抽出する薬剤抽出部と、
前記ストレージを参照して、前記抽出された薬剤の少なくとも一部について医療施設毎の納入数量もしくは納入金額もしくは処方回数もしくは処方数量をコレスポンデンス分析に適用して、医療施設の座標と薬剤の座標を決定する座標決定部と、
前記決定された医療施設の座標と薬剤の座標を用いて、医療施設と薬剤の位置関係を示す情報を出力する出力部と、
を備える情報処理システム。
【請求項２】
前記決定された医療施設の座標を用いて、医療施設をグループに分類する分類部を更に備え、
前記出力部は、医療施設と前記グループとの対応関係を示す情報を出力する
請求項１に記載の情報処理システム。
【請求項３】
前記分類された医療施設の座標が、グループの境界線の内側に位置するように当該グループの境界線を決定する境界線決定部を更に備え、
前記出力部は、前記決定されたグループの境界線を表示するための情報を出力する
請求項２に記載の情報処理システム。
【請求項４】
前記座標決定部は、前記医療施設の座標と薬剤の座標を決定する際に、医療施設毎の設定期間内における同一薬効の各薬剤の納入数量をコレスポンデンス分析に適用することにより決定し、
前記コレスポンデンス分析における第１主成分に対応する寄与率と第２主成分に対応する寄与率を加算した累積寄与率を決定し、当該累積寄与率が閾値以上か否か判定する累積寄与率決定部を更に備え、
前記出力部は、前記決定された累積寄与率が閾値以上の場合、２次元座標上に医療施設と薬剤とを表示するための情報を出力する
請求項１から３のいずれか一項に記載の情報処理システム。
【請求項５】
前記ストレージには、前記医療施設識別情報に関連付けられて当該医療施設の規模を表す規模情報が関連付けられて記憶されており、
ユーザによって選択された医療施設を識別する医療施設識別情報を受信するよう通信回路を制御する通信制御部を更に備え、
前記出力部は、前記受信された医療施設識別情報に前記ストレージにおいて関連付けられた規模情報が設定基準以上である場合、同一薬効の各薬剤の納入数量に関する情報を表示するための情報を出力する
請求項１から４のいずれか一項に記載の情報処理システム。
【請求項６】
前記規模情報は、病床数であり、
前記設定基準は、設定数であり、
前記出力部は、前記受信された医療施設識別情報に前記ストレージにおいて関連付けられた病床数が設定数以上である場合、同一薬効の各薬剤の納入数量に関する情報を表示するための情報を出力する
請求項５に記載の情報処理システム。
【請求項７】
前記医療施設と薬剤の位置関係を示す情報は、２次元座標上に医療施設と薬剤とを表示するための情報である
請求項１から６のいずれか一項に記載の情報処理システム。
【請求項８】
医療施設を識別する医療施設識別情報と、設定期間内において当該医療施設に納入された各薬剤の納入数量もしくは納入金額もしくは処方回数もしくは処方数量とが関連付けられて記憶され、薬剤と薬効が関連付けられて記憶されているストレージと、
前記ストレージを参照して、ユーザによって指定された薬効に関連付けられた薬剤を抽出する薬剤抽出部と、
前記ストレージを参照して、前記抽出された薬剤の少なくとも一部について医療施設毎の納入数量もしくは納入金額もしくは処方回数もしくは処方数量をコレスポンデンス分析に適用して、医療施設の座標と薬剤の座標を決定する座標決定部と、
前記決定された医療施設の座標と薬剤の座標を用いて、医療施設と薬剤の位置関係を示す情報を出力する出力部と、
を備える情報処理装置。
【請求項９】
情報処理システムが有する薬剤抽出部が、薬剤と薬効が関連付けられて記憶されているストレージを参照して、ユーザによって指定された薬効に関連付けられた薬剤を抽出するステップと、
前記情報処理システムが有する座標決定部が、医療施設を識別する医療施設識別情報と、設定期間内において当該医療施設に納入された各薬剤の納入数量もしくは納入金額もしくは処方回数もしくは処方数量とが関連付けられて記憶されているストレージを参照して、前記抽出された薬剤の少なくとも一部について医療施設毎の納入数量もしくは納入金額もしくは処方回数もしくは処方数量をコレスポンデンス分析に適用して、医療施設の座標と薬剤の座標を決定するステップと、
前記情報処理システムが有する出力部が、前記決定された医療施設の座標と薬剤の座標を用いて、医療施設と薬剤の位置関係を示す情報を出力するステップと、
を有する情報処理方法。
【請求項１０】
コンピュータを、
薬剤と薬効が関連付けられて記憶されているストレージを参照して、ユーザによって指定された薬効に関連付けられた薬剤を抽出する薬剤抽出部と、
医療施設を識別する医療施設識別情報と、設定期間内において当該医療施設に納入された各薬剤の納入数量もしくは納入金額もしくは処方回数もしくは処方数量とが関連付けられて記憶されているストレージを参照して、前記抽出された薬剤の少なくとも一部について医療施設毎の納入数量もしくは納入金額もしくは処方回数もしくは処方数量をコレスポンデンス分析に適用して、医療施設の座標と薬剤の座標を決定する座標決定部と、
前記決定された医療施設の座標と薬剤の座標を用いて、医療施設と薬剤の位置関係を示す情報を出力する出力部と、
として機能させるためのプログラム。